(57)【要約】【課題】広画角、高変倍比かつコンパクトでありながらも、撮像素子への主光線入射角度を抑え、高画質を実現したズームレンズ及びそれを有する撮像装置の提供すること。【解決手段】物体側から像側へ順に、正の屈折力の第１レンズ群、負の屈折力の第２レンズ群、正の屈折力の第３レンズ群、正の屈折力の第４レンズ群、第５レンズ群からなり、広角端から望遠端へのズーミングに際し、各レンズ群が移動し間隔が変化するズームレンズにおいて、第５レンズ群の最も物体側の面の曲率半径をR5f、最も像側の面の曲率半径をR5r、広角端における該第４レンズ群の最も像側の面から像面までの距離Lr4w、望遠端の焦点距離をftとしたとき、80 ＜   (R5f+R5r)／(R5f-R5r)  ＜ 1000 0.05 ＜ Lr4w／ｆｔ ＜ 0.6             なる条件を満足することを特徴としている。【選択図】  図１
2015034886.tif 000002
【特許請求の範囲】
【請求項１】
Ａ．物体側から像側へ順に正の屈折力の第１レンズ群、負の屈折力の第２レンズ群、正の屈折力の第３レンズ群、正の屈折力の第４レンズ群、第５レンズ群からなり、
Ｂ．広角端から望遠端へのズーミングに際し、各レンズ群が移動し間隔が変化するズームレンズにおいて、 
Ｃ．該第５レンズ群の最も物体側の面の曲率半径をR5f、最も像側の面の曲率半径をR5r、広角端における該第４レンズ群の最も像側の面から像面までの距離Lr4w、望遠端の焦点距離をftとしたとき、以下の条件式を満足することを特徴とするズームレンズ。
80 ＜   (R5f+R5r)／(R5f-R5r)  ＜ 1000     (１) 
0.05 ＜ Lr4w／ｆｔ ＜ 0.6                 (２)
【請求項２】
Ａ．前記ズームレンズにおいて第４レンズ群の焦点距離をｆ４、第５レンズ群の焦点距離をｆ５としたとき、以下の条件式を満足することを特徴とする請求項１に記載のズームレンズ。
-0.2 ＜  ｆ４／ｆ５  ＜ 0.5    (３)
【請求項３】
Ａ．前記ズームレンズにおいて第３レンズ群の焦点距離をｆ３としたとき、以下の条件式を満足することを特徴とする請求項１又は請求項２に記載のズームレンズ。
0.1 ＜  ｆ３／ｆｔ  ＜ 0.3       (４)
【請求項４】
Ａ．前記ズームレンズにおいて第２レンズ群の焦点距離をｆ２としたとき、以下の条件式を満足することを特徴とする請求項１乃至請求項３の何れか１項に記載のズームレンズ。
0.1 ＜  |ｆ２|／ｆｔ  ＜ 0.4       (５)
【請求項５】
Ａ．前記ズームレンズの第１レンズ群の焦点距離をｆ１としたとき、以下の条件式を満足することを特徴とする請求項１乃至請求項４の何れか１項に記載のズームレンズ。
0.1 ＜  ｆ１／ｆｔ  ＜ 1.0       (６)
【請求項６】
Ａ.固体撮像素子に像を形成することを特徴とする請求項１乃至請求項５の何れか１項に記載のズームレンズ。
【請求項７】
Ａ．請求項１乃至請求項６の何れか１項に記載のズームレンズを有する撮像装置。
【発明の詳細な説明】
【技術分野】
【０００１】
本発明は、ズームレンズおよびこれを用いた撮像装置に関し、例えばビデオカメラ、デジタルカメラなどに好適なものである。
【背景技術】
【０００２】
最近、固体撮像素子を用いたビデオカメラ、デジタルカメラ等の撮像装置の小型化と高機能化が進んでおり、それに用いる光学系には、レンズ全長が短く、コンパクト(小型)で、広画角かつ高変倍比で、しかも高い解像力を有するズームレンズが求められている。このような要求に応えるために、従来から様々なズームレンズが提唱されており、特許文献１、２に開示したような、物体側から順に正負正正正もしくは正負正正負の５群構成にて、ズームレンズの小型化と高変倍比化を実現した先行技術が知られている。
【先行技術文献】
【特許文献】
【０００３】
【特許文献１】特開２００６-１７１０３９号公報
【特許文献２】特開２００８-２８１９２７号公報
【発明の概要】
【発明が解決しようとする課題】
【０００４】
しかしながら、開示された従来技術で、更にズームレンズの全長の小型化を図っていくと、バックフォーカスを十分にとることができなくなることから、特に広角端において、像側のテレセントリック性を確保することが困難となる。像側のテレセントリック性が確保できなくなると、撮像素子周辺部への主光線入射角度が大きくなるため、シェーディングや周辺光量不足などの問題が発生し、撮像装置の画質を低下させてしまうことが課題となっていた。
【０００５】
そこで、本発明の目的は、レンズ全長を小型化しながらも、撮像素子への主光線入射角度を低減し高画質を実現したズームレンズ及びそれを有する撮像装置の提供を目的とする。
【課題を解決するための手段】
【０００６】
本発明は、物体側から像側へ順に正の屈折力の第１レンズ群、負の屈折力の第２レンズ群、正の屈折力の第３レンズ群、正の屈折力の第４レンズ群、第５レンズ群からなり、広角端から望遠端へのズーミングに際し、各レンズ群の間隔が変化するズームレンズにおいて、第５レンズ群の最も物体側の面の曲率半径をR5f、最も像側の面の曲率半径をR5r、広角端における該第４レンズ群の最も像側の面から像面までの距離Lr4w、望遠端の焦点距離をftとしたとき、
80 ＜   (R5f+R5r)／(R5f-R5r)  ＜ 1000     (1)  
0.05 ＜ L4rw／ｆｔ ＜ 0.6                  (2)
なる条件を満足することを特徴としている。
【発明の効果】
【０００７】
本発明によれば、コンパクトでありながらも、撮像素子への主光線入射角度を抑えた高画質なズームレンズ及びそれを有する撮像装置が得られる。
【図面の簡単な説明】
【０００８】
【図１】本発明の数値実施例１のレンズ断面図
【図２】本発明の数値実施例１の広角端における収差図
【図３】本発明の数値実施例１の中間位置における収差図
【図４】本発明の数値実施例１の望遠端における収差図
【図５】本発明の数値実施例２のレンズ断面図
【図６】本発明の数値実施例２の広角端における収差図
【図７】本発明の数値実施例２の中間位置における収差図
【図８】本発明の数値実施例２の望遠端における収差図
【図９】本発明の数値実施例３のレンズ断面図
【図１０】本発明の数値実施例３の広角端における収差図
【図１１】本発明の数値実施例３の中間位置における収差図
【図１２】本発明の数値実施例３の望遠端における収差図
【図１３】本発明の数値実施例４のレンズ断面図
【図１４】本発明の数値実施例４の広角端における収差図
【図１５】本発明の数値実施例４の中間位置における収差図
【図１６】本発明の数値実施例４の望遠端における収差図
【図１７】本発明の数値実施例５のレンズ断面図
【図１８】本発明の数値実施例５の広角端における収差図
【図１９】本発明の数値実施例５の中間位置における収差図
【図２０】本発明の数値実施例５の望遠端における収差図
【図２１】本発明の光学機器の要部概略図
【発明を実施するための形態】
【０００９】
以下に本発明の好ましい実施形態を添付の図面に基いて詳細に説明する。
【００１０】
図１は本発明の実施例１のズームレンズの広角端（短焦点距離端）におけるレンズ断面図である。図２、図３、図４はそれぞれ実施例１のズームレンズの広角端、中間のズーム位置、望遠端（長焦点距離端）における収差図である。実施例１はズーム比9.62、開口比3.60〜5.41程度のズームレンズである。
【００１１】
図５は本発明の実施例２のズームレンズの広角端（短焦点距離端）におけるレンズ断面図である。図６、図７、図８はそれぞれ実施例２のズームレンズの広角端、中間のズーム位置、望遠端（長焦点距離端）における収差図である。実施例１はズーム比9.61、開口比3.55〜5.60程度のズームレンズである。
【００１２】
図９は本発明の実施例３のズームレンズの広角端（短焦点距離端）におけるレンズ断面図である。図１０、図１１、図１２はそれぞれ実施例３のズームレンズの広角端、中間のズーム位置、望遠端（長焦点距離端）における収差図である。実施例１はズーム比9.63、開口比3.54〜5.77程度のズームレンズである。
【００１３】
図１３は本発明の実施例４のズームレンズの広角端（短焦点距離端）におけるレンズ断面図である。図１４、図１５、図１６はそれぞれ実施例４のズームレンズの広角端、中間のズーム位置、望遠端（長焦点距離端）における収差図である。実施例１はズーム比10.9、開口比3.60〜5.38程度のズームレンズである。
【００１４】
図１７は本発明の実施例５のズームレンズの広角端（短焦点距離端）におけるレンズ断面図である。図１８、図１９、図２０はそれぞれ実施例５のズームレンズの広角端、中間のズーム位置、望遠端（長焦点距離端）における収差図である。実施例１はズーム比10.7、開口比3.43〜5.77程度のズームレンズである。
【００１５】
レンズ断面図において、ｉは物体側から像側への各レンズ群の順序を示し、Ｌｉは第ｉレンズ群である。ＳＰは開放Ｆナンバー（Ｆｎｏ）光束を決定（制限）する開口絞りの作用をするＦナンバー決定部材（以下「開口絞り」と呼ぶ）である。Ｇは光学フィルタ、フェースプレート、水晶ローパスフィルタ、赤外カットフィルタ等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。
【００１６】
収差図において、ｄ、Fは各々ｄ線及びF線、ΔＭ、ΔＳはメリディオナル像面、サジタル像面を表している。また、軸上および倍率色収差は、ｇ線によって表している。
【００１７】
各実施例ズームレンズに共通で、本発明の効果を得る上で特徴となる点について説明する。各実施例に示したズームレンズは、正の屈折力（光学的パワー＝焦点距離の逆数）の第１レンズ群Ｌ１、負の屈折力の第２レンズ群Ｌ２、正の屈折力の第３レンズ群Ｌ３、正の屈折力の第４レンズ群Ｌ４、そして第５レンズ群Ｌ５で構成されている。
【００１８】
各実施例に示したズームレンズは、広角端から望遠端へのズーミングに際して、第１レンズ群Ｌ１を物体側に単調移動もしくは像面側へ凸形状軌跡で物体側に移動、第２レンズ群Ｌ２を像側に移動、第３レンズ群Ｌ３を物体側に移動させることで、変倍作用を得ている。このように、変倍作用を複数の箇所で分担させることによって各群の移動ストロークを短縮し、高変倍としながらも広角端から望遠端の全長短縮を実現している。また、更に、第３レンズ群Ｌ３の屈折力を強めることで、開口絞りSPから像面IPまでの距離を小さくし、広角端のレンズ全長の短縮を図っている。変倍に伴うピント変動については、第４レンズ群Ｌ４の移動軌跡を物体側へ凸形状となるようにして補正している。
【００１９】
ここで、各実施例のズームレンズは、第５レンズ群Ｌ５の最も物体側の面の曲率半径をR5f、最も像側の面の曲率半径をR5r、広角端における第４レンズ群Ｌ４の最終面から像面までの距離L4rw、望遠端の焦点距離をftとしたとき、以下の条件式を満足している。
80 ＜   (R5f+R5r)／(R5f-R5r)  ＜ 1000     (1) 
0.05 ＜ L4rw／ｆｔ ＜ 0.6                  (2) 
条件式（１）〜（２）は、ズームレンズの小型化と撮像素子への主光線入射角度の低減を両立するために、必要となる条件を規定している。
【００２０】
条件式（１）は、第５レンズ群の最も物体側と像側の面の形状R5f、R5rを規定する式である。（１）式の範囲を満たすと、R5f、R5rが像側に凸面を向けたメニスカス形状となり、第４レンズ群と第５レンズ群の主点間隔を長くすることができる。このため、第５レンズ群によって結像される射出瞳の位置を像面から離すことができ、撮像素子への主光線入射角度を低減することが可能となる。
【００２１】
条件式（１）が上限を上回ると、第５レンズ群の屈折力が負側に大きくなり過ぎてしまうため、ローパスフィルタやカラーフィルタなどの光学部材を配置するためのスペースを確保することが困難となる。条件式（１）が下限を下回ると、第４レンズ群と第５レンズ群の主点間隔が短くなってしまい、主光線入射角度の低減が困難となる。
【００２２】
条件式（２）は、第５レンズ群の配置スペースを規定する式である。条件式（２）が上限値を上回ると、第４レンズ群から最終面までの距離が長くなり過ぎてしまい、ズームレンズの小型化の点から好ましくない。条件式（２）が下限値を下回ると、第４レンズ群と第５レンズ群の主点間隔が短くなり過ぎてしまうことから、撮像素子への主光線入射角度を抑えることが困難となる。
【００２３】
上記の（１）、（２）の条件を満たすことによって本発明の課題である、ズームレンズの小型化と撮像素子への主光線入射角度の低減を両立することが可能となる。条件式（１）、（２）の範囲において、更に好ましくは、以下の条件式範囲に設定することが望ましい。
【００２４】
80 ＜   (R5f+R5r)／(R5f-R5r)  ＜ 500（１ａ）
0.05 ＜ Lr4w／ｆｔ ＜ 0.3            （２ｂ）
さらに、好ましくは条件式（１ａ）、（２ｂ）の範囲を以下のように設定することが望ましい。
【００２５】
80 ＜   (R5f+R5r)／(R5f-R5r)  ＜ 400（１c）
0.05 ＜ Lr4w／ｆｔ ＜ 0.2            （２c）
以下に、本発明の効果を得るための更に好ましい要件について説明する。
【００２６】
第４レンズ群Ｌ４の焦点距離をｆ４、第５レンズ群Ｌ５の焦点距離をｆ５とするとき、
-0.2 ＜  ｆ４／ｆ５  ＜ 0.5          (３)
なる条件式を満足すると良い。
【００２７】
条件式(３)は、第４レンズ群Ｌ４と第５レンズ群Ｌ５の焦点距離の比率を規定する式である。条件式（３）が下限を下回ると、第５レンズ群の屈折力が負側に大きくなり過ぎてしまい、ローパスフィルタやカラーフィルタなどの光学部材を配置するためのスペースを確保することが困難となる。条件式（３）が上限値を上回ると、第５レンズ群の屈折力が正側に大きくなり過ぎてしまい、ペッツバール和が正方向に大きくなってしまうため、ズーム全域で像面湾曲の補正が困難となる。また、第５レンズ群に対して、第４レンズ群の屈折力が小さくなり過ぎてしまうため、至近距離のフォーカシング時に、第４レンズ群の移動量が大きくなり、第３レンズ群と干渉してしまう。
【００２８】
第３レンズ群Ｌ３の焦点距離をｆ３とするとき、
0.1 ＜  ｆ３／ｆｔ  ＜ 0.3       （４）
なる条件式を満足すると良い。
【００２９】
条件式（４）は、第３レンズ群Ｌ３の焦点距離を規定する式である。条件式（４）が上限値を超えると、第３レンズ群の屈折力が小さくなり過ぎてしまい、開口絞りから像面までの距離が広がり過ぎてしまうため、ズームレンズの小型化の点から好ましくない。条件式（４）が下限値を下回ると、開口絞りから像面までの間隔が短くなり過ぎることから、撮像素子への主光線入射角度抑制することが困難となる。また、第３レンズ群で発生する球面収差やコマ収差の補正も困難となるため、好ましくない。
【００３０】
第２レンズ群Ｌ２の焦点距離をｆ２とするとき、
0.1 ＜  ｜ｆ２｜／ｆｔ  ＜ 0.4       （５）
なる条件式を満足すると良い。
【００３１】
条件式(５)は、第２レンズ群Ｌ２の焦点距離を規定する式である。条件式（５）が上限値を超えると、第２レンズ群の屈折力が弱くなり過ぎてしまい、高変倍比を得るには、第２レンズ群の移動量を増加させなければならないため、ズームレンズが大型化してしまい、好ましくない。条件式（５）が下限値を下回ると、負の屈折力が大きくなり過ぎてしまい、第２レンズ群で発生する倍率色収差をズーム全域で補正することが困難となる。
【００３２】
第１レンズ群Ｌ１の焦点距離をｆ１とするとき、
0.1 ＜  ｆ１／ｆｔ  ＜ 1.0       （６）
なる条件式を満足すると良い。
【００３３】
条件式（６）は、第１レンズ群Ｌ１の好ましい範囲を規定するものである。条件式（６）が上限値を超えると、第１レンズ群の屈折力が小さくなり過ぎてしまい、高変倍比を得るには、望遠端において、第１レンズ群を物体側に大きく繰り出す必要があり、レンズ全長が大型化してしまうため、好ましくない。条件式（６）が下限値を下回ると、第１レンズ群の屈折力が大きくなり過ぎるため、望遠端の球面収差と軸上色収差の補正が課題となる。
【００３４】
さらに、好ましくは、条件式（３）〜（６）の条件式の範囲を以下のように設定することが好ましい。
-0.1 ＜  ｆ４／ｆ５  ＜ 0.4        (３ａ)
0.1 ＜  ｆ３／ｆｔ  ＜ 0.25       （４ａ）
0.1 ＜  ｜ｆ２｜／ｆｔ  ＜ 0.2    （５ａ）
0.5 ＜  ｆ１／ｆｔ  ＜ 0.85       （６ａ）
さらに、本発明が提案するズームレンズは、歪曲収差と倍率色収差を含んだ電気信号を画像処理によって補正するシステムと合わせて使用することにより、全ズーム領域でさらに高い性能を達成することができる。
【００３５】
次に本発明の各実施例の数値実施例を示す。各数値実施例において、ｉは物体側からの面の順序を示し、Ｒiはレンズ面の曲率半径、Ｄiは第i面と第i+1面との間のレンズ肉厚および空気間隔、Ｎdi、νdiはそれぞれｄ線に対する屈折率、アッベ数を示す。また、もっとも像側の２面は水晶ローパスフィルタ、赤外カットフィルタ等のフィルタ部材である。
【００３６】
各数値実施例において使用する記号の意味は次に示すとおりである。数値実施例においてＲｉは物体側より順に第ｉ番目のレンズ面の曲率半径、Ｄｉは物体側より順に第ｉ番目のレンズ厚及び空気間隔、Ｎｉとνｉは各々物体側より順に第ｉ番目のレンズのガラスのｄ線に対する屈折率、アッベ数である。又前述の各条件式と数値実施例の関係を表１に示す。非球面形状は光軸方向にＸ軸、光軸と垂直方向にＨ軸、光の進行方向を正としＲを近軸曲率半径、Kを円錐定数、A4，A6，A8を各々非球面係数としたとき
【００３７】
【数１】
2015034886.tif 000003
【００３８】
なる式で表している。また、［e+X］は［×10＋ｘ］を意味し、［e-X］は［×10-ｘ］を意味している。
非球面は面番号の後に*を付加して示す。
【００３９】
［数値実施例１］
単位 mm
面データ
面番号       r        d      nd         vd       
1         38.286    0.80   1.84666    23.9       
2         20.383    3.19   1.59282    68.6       
3       -540.943    0.20                         
4         17.451    1.94   1.69680    55.5       
5         66.004  (可変)                         
6*       109.984    0.70   1.85135    40.1        
7*         4.588    2.14                          
8        -11.817    0.55   1.80400    46.6        
9         39.424    0.22                          
10         11.574    1.04   1.95906    17.5        
11         77.998  (可変)                          
12(絞り)    ∞      -0.30                          
13*         3.999    1.68   1.55332    71.7        
14        -22.887    1.39                          
15          9.690    0.55   2.00272    19.3        
16*         5.244  (可変)                          
17          8.964    1.03   1.55332    71.7        
18         19.204  (可変)                          
19         -6.350    1.54   1.59282    68.6        
20         -6.200  (可変)                          
21          ∞       0.80   1.51633    64.1       
22          ∞     (可変)                         
像面        ∞
非球面データ
第6面
K =-3.79300e+003  A 4=-1.12770e-004  A 6= 6.96061e-006  A 8=-1.09568e-007  
第7面
K = 2.04139e-001  A 4=-8.66589e-004  A 6= 4.46873e-005  A 8=-2.93465e-006  
第13面
K =-5.79698e-001  A 4= 6.01092e-005  A 6= 7.50089e-006  A 8=-8.80754e-007  
第16面
K = 2.23055e+000  A 4= 4.20765e-004  A 6= 5.61027e-005  A 8=-1.09509e-006  
各種データ
ズーム比      9.63 
焦点距離       5.13    25.64    49.40      
Fナンバー      3.60     5.12     5.41       
画角          34.50     8.59     4.49      
像高           3.53     3.88     3.88       
レンズ全長    38.06    43.09    46.43      
BF             0.33     0.33     0.33     
d 5            0.71    10.47    13.97    
d11           11.92     2.60     0.69     
d16            3.74     2.28    11.81     
d18            3.43     9.47     1.69     
d20            0.48     0.48     0.48     
d22            0.33     0.33     0.33       
ズームレンズ群データ
群  始面    焦点距離  
1    1      25.07
2    6      -5.15
3   12       8.66         
4   17      29.33         
5   19      91.86         
【００４０】
［数値実施例２］
単位 mm
面データ
面番号       r        d      nd         vd       
1         53.133    0.80   1.84666    23.9       
2         23.689    3.01   1.59282    68.6       
3      -1722.693    0.20                         
4         22.483    2.24   1.77250    49.6       
5         77.196  (可変)                         
6*       -32.385    0.70   1.85135    40.1       
7*         4.111    1.49                          
8          7.641    1.47   1.95906    17.5        
9         16.097  (可変)                          
10(絞り)    ∞      -0.30                          
11*         4.015    1.47   1.55332    71.7        
12*       -48.161    0.19                          
13          4.157    0.60   1.92286    20.9        
14          2.867  (可変)                          
15         12.785    1.73   1.55332    71.7        
16        -20.008  (可変)                          
17         -6.702    0.65   1.92286    18.9        
18        -12.044    1.58   1.60311    60.6        
19         -6.631  (可変)                          
20          ∞       0.80   1.51633    64.1       
21          ∞     (可変)                         
像面        ∞   
非球面データ
第6面
K = 0.00000e+000  A 8= 1.32413e-008  
第7面
K =-4.99026e-001  A 4=-5.14246e-004  A 6=-9.47813e-006  A 8=-6.10718e-007  
第11面
K =-5.49894e-001  A 4=-2.59050e-004  A 6= 1.59204e-005  A 8=-2.49587e-006  
第12面
K = 0.00000e+000  A 4= 1.54524e-004  
各種データ
ズーム比      9.62 
焦点距離       5.14    18.26    49.41      
Fナンバー      3.55     4.66     5.60       
画角          34.46    11.98     4.48       
レンズ全長    41.99    47.72    54.78      
BF             0.49     0.49     0.49     
d 5            1.01    11.53    19.18    
d 9           14.79     4.00     0.70       
d14            5.98     8.90    14.76    
d16            2.18     5.26     2.12     
d19            0.90     0.90     0.90     
d21            0.49     0.49     0.49      
ズームレンズ群データ
群  始面    焦点距離  
1    1      33.28
2    6      -6.73
3   10      10.26
4   15      14.37         
5   17    -204.92
【００４１】
［数値実施例３］
単位 mm
面データ
面番号       r        d      nd         vd       
1         26.022    0.70   2.00069    25.5       
2         15.165    3.07   1.80400    46.6       
3        419.204  (可変)                         
4*       -46.837    0.70   1.86400    40.6       
5*         5.439    1.54                          
6          8.742    1.49   1.95906    17.5        
7         16.431  (可変)                          
8(絞り)    ∞       0.00                          
9*         4.771    1.53   1.58913    61.3        
10*       -47.975    0.45                          
11          4.723    0.68   1.94595    18.0        
12          3.241  (可変)                          
13*        12.561    1.45   1.69350    53.2        
14*       133.507  (可変)                          
15         -7.126    0.54   1.92286    18.9        
16         -9.662    1.39   1.60311    60.6        
17         -7.000    0.60                          
18          ∞       0.80   1.51633    64.1       
19          ∞     (可変)                         
像面        ∞   
非球面データ
第4面
K = 0.00000e+000  A 6= 8.85795e-007  A 8=-7.25198e-009  A10= 2.08860e-011  
第5面
K =-5.35513e-001  A 4= 1.34067e-004  A 6= 1.24804e-005  A 8=-2.06039e-008  A10=-7.59780e-009  A12= 1.65725e-010  
A 3=-1.76485e-004  A 5=-7.91343e-005  
第9面
K =-9.51720e-001  A 4= 1.42789e-004  A 6=-5.03754e-006  A 8=-7.13282e-006  A10=-1.67125e-007  
第10面
K = 0.00000e+000  A 4=-1.14037e-004  A 6=-2.38826e-005  A 8=-7.99116e-006  
第13面
K =-2.84916e+000  A 4=-2.61754e-004  A 6= 1.80114e-006  A 8=-1.58126e-007  
A 3=-2.20563e-004  
第14面
K = 0.00000e+000  A 4=-5.51022e-004  
各種データ
ズーム比      9.63 
焦点距離       5.13    16.06    49.41      
Fナンバー      3.54     4.60     5.77      
画角          33.01    13.57     4.48       
レンズ全長    44.74    46.43    56.62      
BF             0.50     0.50     0.50     
d 3            0.72    11.06    22.76    
d 7           20.21     6.27     0.69     
d12            5.80     8.52    15.60    
d14            2.56     5.13     2.13     
d19            0.50     0.50     0.50     
ズームレンズ群データ
群  始面    焦点距離  レンズ構成長  
1    1      41.92         3.77        
2    4      -8.75         3.73        
3    8      11.16         2.66        
4   13      19.90         1.45        
5   15     821.41         3.33        
【００４２】
［数値実施例４］
単位 mm
面データ
面番号       r        d      nd         vd
1         37.564    0.80   1.84666    23.9
2         20.251    3.13   1.59282    68.6       
3       -410.109    0.20                         
4         17.419    1.98   1.69680    55.5       
5         61.855  (可変)                         
6*       123.494    0.70   1.85135    40.1
7*         4.536    2.07                          
8        -12.014    0.55   1.80400    46.6
9         29.962    0.23                          
10         11.380    1.04   1.95906    17.5        
11         83.166  (可変)                          
12(絞り)    ∞      -0.30                          
13*         4.149    1.70   1.55332    71.7        
14        -24.054    1.41                          
15          9.412    0.55   2.00272    19.3        
16*         5.251  (可変)                          
17          9.178    1.07   1.55332    71.7        
18         23.105  (可変)                          
19         -6.777    1.68   1.59282    68.6        
20         -6.740  (可変)                          
21          ∞       0.80   1.51633    64.1       
22          ∞     (可変)                         
像面        ∞   
非球面データ
第6面
K =-5.23989e+003  A 4=-1.68279e-004  A 6= 7.28715e-006  A 8=-6.00642e-008  
第7面
K = 2.96054e-001  A 4=-1.08753e-003  A 6= 3.67315e-005  A 8=-4.49914e-006  
第13面
K =-6.08235e-001  A 4= 6.67926e-005  A 6= 1.22514e-005  A 8=-8.95703e-007  
第16面
K = 1.93601e+000  A 4= 2.80584e-004  A 6= 8.75979e-005  A 8=-9.44653e-006
各種データ
ズーム比     10.91 
焦点距離       5.13    26.17    55.97      
Fナンバー      3.60     5.24     5.37       
画角          34.50     8.42     3.96       
レンズ全長    39.24    44.42    47.88      
BF             0.57     0.57     0.57     
d 5            0.68    10.60    14.51    
d11           12.32     2.97     0.69     
d16            4.11     2.03    12.38     
d18            3.50    10.20     1.68     
d20            0.44     0.44     0.44     
d22            0.57     0.57     0.57       
ズームレンズ群データ
群  始面    焦点距離  レンズ構成長  
1    1      25.00         6.11
2    6      -4.97         4.59         
3   12       9.03         3.37
4   17      26.78         1.07        
5   19     116.41         1.68        
【００４３】
［数値実施例５］
単位 mm
面データ
面番号       r        d      nd         vd       
1         26.020    0.70   2.00069    25.5       
2         15.008    3.23   1.80400    46.6       
3        419.423  (可変)                         
4*       -45.311    0.70   1.86400    40.6       
5*         5.426    1.50                          
6          8.615    1.50   1.95906    17.5        
7         16.265  (可変)                          
8(絞り)    ∞       0.00                          
9*         4.699    1.55   1.58913    61.3        
10*       -62.037    0.64                          
11          4.665    0.68   1.94595    18.0        
12          3.184  (可変)                          
13*        12.732    1.21   1.69350    53.2        
14*       159.724  (可変)                          
15         -6.700    0.79   1.92286    18.9        
16         -9.299    1.19   1.60311    60.6        
17         -6.600    0.60                          
18          ∞       0.80   1.51633    64.1       
19          ∞     (可変)                         
像面        ∞
非球面データ
第4面
K = 0.00000e+000  A 6= 9.07966e-007  A 8=-1.46195e-009  A10=-1.95796e-011  
第5面
K =-5.48250e-001  A 4= 1.34055e-004  A 6= 1.63496e-005  A 8=-2.89327e-007  A10= 1.18550e-009  A12= 1.20312e-010  
A 3=-1.76485e-004  A 5=-7.91343e-005  
第9面
K =-6.99148e-001  A 4=-2.32389e-005  A 6= 2.56572e-005  A 8=-6.98514e-006  A10= 2.61938e-007  
第10面
K = 0.00000e+000  A 4= 7.32175e-005  A 6= 8.30040e-006  A 8=-4.42468e-006  
第13面
K =-6.91865e-001  A 4=-2.29911e-006  A 6= 1.77353e-006  A 8=-5.09315e-008  
A 3=-2.20563e-004  
第14面
K = 0.00000e+000  A 4=-1.38951e-004  
各種データ
ズーム比     10.72 
焦点距離       5.13    16.28    55.00      
Fナンバー      3.44     4.48     5.77       
画角          33.01    13.39     4.03       
像高           3.33     3.88     3.88       
レンズ全長    44.79    46.68    57.07      
BF             0.50     0.50     0.50     
d 3            0.65    11.47    23.76    
d 7           20.47     6.49     0.69     
d12            5.16     7.59    15.84      
d14            2.93     5.54     1.19     
d19            0.50     0.50     0.50     
ズームレンズ群データ
群  始面    焦点距離  レンズ構成長  
1    1      42.15         3.93        
2    4      -8.75         3.70        
3    8      11.16         2.87        
4   13      19.88         1.21        
5   15     503.17         3.38        
前述の各条件式と数値実施例における諸数値の関係を表１に示す。
【００４４】
【表１】
2015034886.tif 000004
【００４５】
次に本発明のズームレンズを撮影光学系として用いたデジタルカメラ（光学機器）の実施形態を図２１を用いて説明する。図２１において、２０はデジタルカメラ本体、２１は上述の実施形態のズームレンズによって構成された撮影光学系、２２は撮影光学系２１によって被写体像を受光するＣＣＤ等の撮像素子、２３は撮像素子２２が受光した被写体像を記録する記録手段、２４は不図示の表示素子に表示された被写体像を観察するためのファインダーである。
【００４６】
上記表示素子は液晶パネル等によって構成され、撮像素子２２上に形成された被写体像が表示される。２５は、前記ファインダーと同等の機能を有する液晶表示パネルである。
【００４７】
このように本発明のズームレンズをデジタルカメラ等の光学機器に適用することにより、小型で高い光学性能を有する光学機器を実現している。
【符号の説明】
【００４８】
Ｌ１…第１レンズ群
Ｌ２…第２レンズ群
Ｌ３…第３レンズ群
Ｌ４…第４レンズ群
Ｌ５…第５レンズ群
【図１】
2015034886.tif 000005
【図２】
2015034886.tif 000006
【図３】
2015034886.tif 000007
【図４】
2015034886.tif 000008
【図５】
2015034886.tif 000009
【図６】
2015034886.tif 000010
【図７】
2015034886.tif 000011
【図８】
2015034886.tif 000012
【図９】
2015034886.tif 000013
【図１０】
2015034886.tif 000014
【図１１】
2015034886.tif 000015
【図１２】
2015034886.tif 000016
【図１３】
2015034886.tif 000017
【図１４】
2015034886.tif 000018
【図１５】
2015034886.tif 000019
【図１６】
2015034886.tif 000020
【図１７】
2015034886.tif 000021
【図１８】
2015034886.tif 000022
【図１９】
2015034886.tif 000023
【図２０】
2015034886.tif 000024
【図２１】
2015034886.tif 000025